(57)【要約】【課題】膨張水を低温水で排出可能とすると共に、排水の時間の掛からない貯湯式給湯装置を提供する。【解決手段】貯湯タンク１の上部に接続された高温管５と、水を供給する給水管３と、高温管５からの湯と給水管３からの水とを混合する混合弁６と、混合弁６の出口に接続され湯水を供給する給湯管７と、貯湯タンク１の湯水を排水するための排水管１６および排水栓１７と、貯湯タンク１内の湯水の膨張水を逃がす過圧逃がし弁９とを備え、過圧逃がし弁９の入口側経路は２系統の経路を有し、第１経路１２を水の流通抵抗となる抵抗体１４を介して高温管５に接続し、第２経路１３を給湯管７に接続し、制御部２４は、加熱手段２の運転中は、給水管３と給湯管７とが連通するように混合弁６の開度を制御し、貯湯タンク１の排水時は、高温管５と給湯管７とが連通するように混合弁６の開度を制御するようにした。【選択図】図１
2019027665.tif 000002
【特許請求の範囲】
【請求項１】
湯水を貯湯する貯湯タンクと、前記貯湯タンク内の湯水を加熱する加熱手段と、前記貯湯タンクの上部に接続された高温管と、水を供給する給水管と、前記高温管からの湯と前記給水管からの水とを混合する混合弁と、前記混合弁の出口に接続され湯水を供給する給湯管と、前記貯湯タンクの湯水を排水するための排水管および排水栓と、前記加熱手段による前記貯湯タンク内の湯水の加熱による膨張水を逃がす過圧逃がし弁と、前記加熱手段と前記混合弁とを制御する制御部とを備え、前記過圧逃がし弁の入口側経路は２系統の経路を有し、第１経路を水の流通抵抗となる抵抗体を介して前記高温管に接続し、第２経路を前記給湯管に接続し、前記制御部は、前記加熱手段の運転中は、前記給水管と前記給湯管とが連通するように前記混合弁の開度を制御し、前記貯湯タンクの排水時は、前記高温管と前記給湯管とが連通するように前記混合弁の開度を制御するようにしたことを特徴とする貯湯式給湯装置。
【請求項２】
前記抵抗体は、前記過圧逃がし弁側から前記高温管への流れを遮断する第１逆止弁で構成されていることを特徴とする請求項１記載の貯湯式給湯装置。
【請求項３】
前記第２経路に、前記過圧逃がし弁側から前記給湯管への流れを遮断する第２逆止弁を設け、前記第１逆止弁の閉止圧を前記第２逆止弁の閉止圧よりも大きくしたことを特徴とする請求項２記載の貯湯式給湯装置。
【請求項４】
前記抵抗体に代えて、前記高温管から前記過圧逃がし弁に高い温度の湯水が流れないようにする熱動弁を設けたことを特徴とする請求項１記載の貯湯式給湯装置。
【発明の詳細な説明】
【技術分野】
【０００１】
本発明は、過圧逃がし弁を備えた貯湯式給湯装置に関する。
【背景技術】
【０００２】
従来よりこの種の貯湯式給湯装置においては、特許文献１に開示されているように、湯水を貯湯する貯湯タンクと、貯湯タンク内の湯水を加熱する加熱手段と、加熱手段による貯湯タンク内の湯水の加熱による過圧を逃がす過圧逃がし弁と、貯湯タンクの上部と過圧逃がし弁の入口とを接続する高温管と、貯湯タンクの下部と過圧逃がし弁の入口とを接続する低温管と、高温管に過圧逃がし弁側から高温管への流れを遮断する逆止弁とを有し、加熱手段による加熱による膨張水を低温管からの低温水で排出するようにしたものがあった。
【先行技術文献】
【特許文献】
【０００３】
【特許文献１】特許第４９８６９１１号公報
【発明の概要】
【発明が解決しようとする課題】
【０００４】
この従来のものでは、貯湯タンク内の湯水を排水する際に、過圧逃がし弁を手動で開放して、貯湯タンク下部に接続された排水栓を開いても、逆止弁の作用により過圧逃がし弁からの空気が高温管を介して貯湯タンク上部に流れるのが阻害され、置換空気は低温管を介して貯湯タンク底部から貯湯タンク内に流入することとなるので、貯湯タンクの排水に時間が掛かるという課題があった。
【０００５】
そこで、本発明は、膨張水を低温水で排出可能とすると共に、排水の時間の掛からない貯湯式給湯装置を提供することを目的とする。
【課題を解決するための手段】
【０００６】
そこで、本発明は上記課題を解決するため、湯水を貯湯する貯湯タンクと、前記貯湯タンク内の湯水を加熱する加熱手段と、前記貯湯タンクの上部に接続された高温管と、水を供給する給水管と、前記高温管からの湯と前記給水管からの水とを混合する混合弁と、前記混合弁の出口に接続され湯水を供給する給湯管と、前記貯湯タンクの湯水を排水するための排水管および排水栓と、前記加熱手段による前記貯湯タンク内の湯水の加熱による膨張水を逃がす過圧逃がし弁と、前記加熱手段と前記混合弁とを制御する制御部とを備え、前記過圧逃がし弁の入口側経路は２系統の経路を有し、第１経路を水の流通抵抗となる抵抗体を介して前記高温管に接続し、第２経路を前記給湯管に接続し、前記制御部は、前記加熱手段の運転中は、前記給水管と前記給湯管とが連通するように前記混合弁の開度を制御し、前記貯湯タンクの排水時は、前記高温管と前記給湯管とが連通するように前記混合弁の開度を制御するようにした。
【０００７】
また、前記抵抗体は、前記過圧逃がし弁側から前記高温管への流れを遮断する第１逆止弁で構成されているものとした。
【０００８】
また、前記第２経路に、前記過圧逃がし弁側から前記給湯管への流れを遮断する第２逆止弁を設け、前記第１逆止弁の閉止圧を前記第２逆止弁の閉止圧よりも大きくしたものとした。
【０００９】
また、前記抵抗体に代えて、前記高温管から前記過圧逃がし弁に高い温度の湯水が流れないようにする熱動弁を設けたものとした。
【発明の効果】
【００１０】
本発明によれば、加熱手段による加熱時の膨張水を低温水で排出することができ、貯湯タンク内に溜まった残存空気は高温管から抵抗体を通過して過圧逃がし弁へ到達し、加熱時に排出される低温水と共に排出されると共に、貯湯タンクの排水時には、置換空気は過圧逃がし弁から第２経路、給湯管、高温管を介して貯湯タンク上部から流入するため、貯湯タンクの排水に掛かる時間を短縮することができる。
【図面の簡単な説明】
【００１１】
【図１】本発明の第１の実施形態の概略構成図
【図２】本発明の第２の実施形態の概略構成図
【図３】本発明の第３の実施形態の概略構成図
【発明を実施するための形態】
【００１２】
＜第１実施形態＞
次に、本発明の第１の実施形態の貯湯式給湯装置を図１を参照して説明する。
１は湯水を貯湯する密閉式の貯湯タンク、２は貯湯タンク１内の湯水を加熱する加熱手段としての電熱ヒータ、３は市水等を貯湯タンク１底部と後述する混合弁６に供給する給水管、４は給水管３の給水圧を所定圧力まで低下させる減圧弁、５は貯湯タンク１天部と後述する混合弁６とを接続し、貯湯タンク１内の湯水を出湯する高温管、６は給水管３からの水と高温管５からの湯とを予めユーザーが後述するリモコン２０で設定した給湯設定温度に混合する混合弁、７は混合弁６で混合された湯水を浴槽等の給湯先（図示せず）へ供給する給湯管、８は給湯管７途中に設けられ給湯の開始停止を制御する開閉弁である。
【００１３】
９は加熱手段による貯湯タンク内の湯水の加熱による膨張水を逃がす過圧逃がし弁で、過圧逃がし弁９は膨張水を排出する排出路１０と、過圧逃がし弁９を強制的に大気開放する開放レバー１１を有し、過圧逃がし弁の入口側は２つの経路に分岐されていて、第１経路１２は高温管に接続され、第２経路１３は給湯管７の混合弁６と開閉弁８の間に接続されている。
【００１４】
第１経路１２には、水の流通抵抗となる抵抗体として、過圧逃がし弁９側から高温管５への流れを遮断する第１逆止弁１４が設けられている。第２経路１３には過圧逃がし弁９側から給湯管７への流れを遮断する第２逆止弁１５が設けられている。この第２逆止弁１５の閉止圧は第１逆止弁１４の閉止圧より小さく、かつ、第２逆止弁１５の過圧逃がし弁９側への水の流通抵抗は、第１逆止弁１４の過圧逃がし弁９側への水の流通抵抗よりも小さく設定されており、過圧逃がし弁９側への圧力が掛かった際に第２経路１３からの水の方が第１経路１２からの水よりも流れやすくしている。
【００１５】
１６は貯湯タンク１底部に接続された排水管、１７は排水管１６に設けられ、排水管１６の開放と閉止を行う手動の排水栓である。なお、排水栓１７は電動式としても良い。
【００１６】
１８は混合弁６で混合された湯水の温度を検出する給湯温度センサ、１９は貯湯タンク１外周の上下方向に複数設けられて貯湯されている湯水の温度を検出する貯湯温度センサである。２０はリモコンで、給湯設定温度やこの貯湯式給湯装置の運転状態等を表示する表示部２１と、給湯設定温度を変更するための変更スイッチと、その他諸々の設定や運転指示を行うための操作スイッチを備えている。
【００１７】
２４はこの貯湯式給湯装置の運転を制御する制御部で、マイクロプロセッサを主として構成され、給湯温度センサ１８と貯湯温度センサ１９の検出値が入力され、電熱ヒータ２と混合弁６と開閉弁８の作動を制御すると共に、リモコン２０と通信可能に接続されているものである。
【００１８】
＜沸き上げ運転＞
次に、この貯湯式給湯装置の運転について説明すると、深夜時間帯となると制御部２４は電熱ヒータ２に通電して沸き上げ運転を開始し、複数の貯湯温度センサ１９が全て所定の沸き上げ温度以上を検出すると電熱ヒータ２への通電を停止して沸き上げ運転を終了する。
【００１９】
この沸き上げ運転中に、制御部２４は、混合弁６を給水管３と給湯管７とが連通した状態とする。ここでは、給水管３のみが給湯管７と連通し、高温管５は給湯管７と遮断状態とすることが好ましい。沸き上げ運転が進行して、貯湯タンク１内の湯水の温度が上昇してくると、貯湯タンク１内の湯水が熱膨張し、系内の圧力が上昇する。この圧力は高温管５経由の第１経路１２と、給水管３と給湯管７経由の第２経路１３を介して過圧逃がし弁９に掛かる。
【００２０】
系内の圧力が過圧逃がし弁９の開弁圧力以上に達すると、過圧逃がし弁９が開弁されて流通抵抗の小さい第２経路１３経由で貯湯タンク１内の下部から低温の水が排出され、系内の圧力が過圧逃がし弁９の閉弁圧力以下となると、過圧逃がし弁９が閉弁されて低温の水の排出が停止され、これを繰り返して貯湯タンク１内の圧力が適切な圧力に保持される。このようにして、膨張水を低温の水で排出することができるため、高温の湯の排出を抑えて加熱エネルギーの無駄な消費をなくすことができ、省エネを推進できる。
【００２１】
一方で、貯湯タンク１内の湯水に残存する空気分は、沸き上げ運転の進行に伴い水から分離して貯湯タンク１内を上昇し、そして、高温管５と第１経路１２を介して貯湯タンク１上部の過圧逃がし弁９に向けて上昇する。このとき、第１経路１２を通過する空気分は、第１逆止弁１４に流れを遮断されることなく通過し、系内の圧力が過圧逃がし弁９の開弁圧力以上にまで上昇したときに、前記の低温の水と一緒に排出され、系内の空気分をスムースに排出することができる。
【００２２】
そして、制御部２４は、沸き上げ運転が終了すると、次に説明する給湯運転が開始されるまで混合弁６を給水管３のみが給湯管７と連通する状態を維持する。このようにして、混合弁６を給水管３のみが給湯管７と連通する状態を維持することで、貯湯タンク１内の湯水の温度分布の状態によって、高温の湯と低温の水との密度差による自然対流を防止している。
【００２３】
＜給湯運転＞
ユーザーがリモコン２０への操作によって給湯の指示を行うと、制御部２４は、混合弁６を給水管３と高温管５と給湯管７とが連通する状態とすると共に開閉弁８を開弁し、給水管３からの水と高温管５からの湯とが混合弁６に流れ込み、制御部２４は、給湯温度センサ１８が検出する温度が給湯設定温度と一致するように混合弁６の開度を調整し、給湯設定温度の湯水が給湯管７から給湯先へ給湯される。
【００２４】
このとき、貯湯タンク１からの高温の湯は、第２逆止弁１５によって第２経路１３が遮断されるため、混合弁６をバイパスして給湯管７へショートカットしてしまうことが防止されている。
【００２５】
そして、ユーザーによるリモコン２０への操作等による給湯停止の指示があると、制御部２４は、開閉弁８を閉弁し、混合弁６を給水管３のみと給湯管７とが連通する状態として給湯を停止する。
【００２６】
＜排水運転＞
次に、貯湯タンク１内の湯水を排水するための排水運転について説明する。
ユーザーがリモコン２０への特定操作によって排水運転を行う旨の指示を行うと、制御部２４は、混合弁６を高温管５と給湯管７とが連通する状態とする。
【００２７】
そしてユーザーが開放レバー１１を操作して過圧逃がし弁９を大気開放し、排水栓１７を開弁すると、貯湯タンク１内の湯水が排水管１６を介して排水される。
【００２８】
このとき、過圧逃がし弁９の排出路１０から流入した置換空気は、第２経路１３、給湯管７、高温管５を経由して貯湯タンク１の上部から貯湯タンク１内に流入するため、貯湯タンクの排水に掛かる時間を短縮することができる。
【００２９】
そして、開放レバー１１を操作して過圧逃がし弁９を閉じ、排水栓１７を閉弁して、リモコン２０への特定操作によって排水運転を終了する旨の指示を行うと、制御部２４は、混合弁６を給水管３のみと給湯管７とが連通する状態として排水運転を終了する。
【００３０】
このようにして、加熱手段としての電熱ヒータ２による加熱時の膨張水を低温水で排出することができ、貯湯タンク１内に溜まった残存空気は高温管５から抵抗体としての第１逆止弁１４を通過して過圧逃がし弁９へ到達し、加熱時に排出される低温水と共に排出されると共に、貯湯タンク１の排水時には、置換空気は過圧逃がし弁９から第２経路１３、給湯管７、高温管５を介して貯湯タンク１上部から流入するため、貯湯タンク１の排水に掛かる時間を短縮することができる。
【００３１】
＜第２実施形態＞
次に、本発明の第２の実施形態の貯湯式給湯装置を図２を参照して説明する。第１実施形態と同一の構成は、同一の符号を付してその説明を省略する。
【００３２】
２５は第１経路１２に設けられた熱動弁としての熱動遮断弁である。この熱動遮断弁２５は、ケーシング内部にワックスエレメントや形状記憶合金などの温度膨張素子を有し、ケーシングを通過しようとする貯湯タンク１等からの湯水の温度に応じて温度膨張素子が伸縮し、所定の設計温度を超えると温度膨張素子が最大長まで伸長して過圧逃がし弁９側となる出口の弁を閉じるものである。
【００３３】
＜沸き上げ運転＞
沸き上げ運転中に、制御部２４は、混合弁６を給水管３と給湯管７とが連通した状態とする。ここでは、給水管３のみが給湯管７と連通し、高温管５は給湯管７と遮断状態とすることが好ましい。沸き上げ運転が進行して、貯湯タンク１内の湯水の温度が上昇してくると、貯湯タンク１内の湯水が熱膨張し、系内の圧力が上昇する。この圧力は高温管５経由の第１経路１２と、給水管３と給湯管７経由の第２経路１３を介して過圧逃がし弁９に掛かる。
【００３４】
系内の圧力が過圧逃がし弁９の開弁圧力以上に達すると、過圧逃がし弁９が開弁されて流通抵抗の小さい第２経路１３経由で貯湯タンク１内の下部から低温の水が排出されると同時に、第１経路１２経由で管内の残留湯水が排出され、熱動遮断弁２５に貯湯タンク１からの高温の湯が流入すると、温度膨張素子の作用により熱動遮断弁２５が閉じられ、第２経路１３経由の低温の水だけが排出されることとなる。
【００３５】
系内の圧力が過圧逃がし弁９の閉弁圧力以下となると、過圧逃がし弁９が閉弁されて低温の水の排出が停止され、これを繰り返して貯湯タンク１内の圧力が適切な圧力に保持される。このようにして、膨張水を低温の水で排出することができるため、高温の湯の排出を抑えて加熱エネルギーの無駄な消費をなくすことができ、省エネを推進できる。
【００３６】
一方で、貯湯タンク１内の湯水に残存する空気分は、沸き上げ運転の進行に伴い水から分離して貯湯タンク１内を上昇し、そして、高温管５と第１経路１２を介して貯湯タンク１上部の過圧逃がし弁９に向けて上昇する。このとき、第１経路１２を通過する空気分は、熱動遮断弁２５を通過するが、空気の保有熱量は水に比べて小さいため、熱動遮断弁２５は閉弁されることなく空気が通過し、系内の圧力が過圧逃がし弁９の開弁圧力以上にまで上昇したときに、前記の低温の水と一緒に排出され、系内の空気分をスムースに排出することができる。
【００３７】
そして、制御部２４は、沸き上げ運転が終了すると、次に説明する給湯運転が開始されるまで混合弁６を給水管３のみが給湯管７と連通する状態を維持する。このようにして、混合弁６を給水管３のみが給湯管７と連通する状態を維持することで、貯湯タンク１内の湯水の温度分布の状態によって、高温の湯と低温の水との密度差による自然対流を防止している。
【００３８】
＜給湯運転＞
ユーザーがリモコン２０への操作によって給湯の指示を行うと、制御部２４は、混合弁６を給水管３と高温管５と給湯管７とが連通する状態とすると共に開閉弁８を開弁し、給水管３からの水と高温管５からの湯とが混合弁６に流れ込み、制御部２４は、給湯温度センサ１８が検出する温度が給湯設定温度と一致するように混合弁６の開度を調整し、給湯設定温度の湯水が給湯管７から給湯先へ給湯される。
【００３９】
このとき、貯湯タンク１からの高温の湯は、熱動遮断弁２５によって第１経路１２が遮断されるため、混合弁６をバイパスして給湯管７へショートカットしてしまうことが防止されている。
【００４０】
そして、ユーザーによるリモコン２０への操作等による給湯停止の指示があると、制御部２４は、開閉弁８を閉弁し、混合弁６を給水管３のみと給湯管７とが連通する状態として給湯を停止する。
【００４１】
＜排水運転＞
次に、貯湯タンク１内の湯水を排水するための排水運転について説明する。
ユーザーがリモコン２０への特定操作によって排水運転を行う旨の指示を行うと、制御部２４は、混合弁６を高温管５と給湯管７とが連通する状態とする。
【００４２】
そしてユーザーが開放レバー１１を操作して過圧逃がし弁９を大気開放し、排水栓１７を開弁すると、貯湯タンク１内の湯水が排水管１６を介して排水される。
【００４３】
このとき、過圧逃がし弁９の排出路１０から流入した置換空気は、第２経路１３、給湯管７、高温管５を経由して貯湯タンク１の上部から貯湯タンク１内に流入すると共に、空気の熱量が小さいため熱動遮断弁２５は閉弁されることなく空気が通過するため、貯湯タンクの排水に掛かる時間を短縮することができる。
【００４４】
そして、開放レバー１１を操作して過圧逃がし弁９を閉じ、排水栓１７を閉弁して、リモコン２０への特定操作によって排水運転を終了する旨の指示を行うと、制御部２４は、混合弁６を給水管３のみと給湯管７とが連通する状態として排水運転を終了する。
【００４５】
このようにして、加熱手段としての電熱ヒータ２による加熱時の膨張水を低温水で排出することができ、貯湯タンク１内に溜まった残存空気は高温管５から抵抗体に代えて設けられた熱動弁としての熱動遮断弁９を通過して過圧逃がし弁９へ到達し、加熱時に排出される低温水と共に排出されると共に、貯湯タンク１の排水時には、置換空気は過圧逃がし弁９から第２経路１３、給湯管７、高温管５の経路と、過圧逃がし弁９から第１経路１２、高温管５の経路を介して貯湯タンク１上部から流入するため、貯湯タンク１の排水に掛かる時間を短縮することができる。
【００４６】
＜第３実施形態＞
次に、本発明の第３の実施形態の貯湯式給湯装置を図３を参照して説明する。第１、第２の実施形態と同一の構成は、同一の符号を付してその説明を省略する。
【００４７】
２６は第１経路１２に設けられた熱動弁としての熱動三方弁である。この熱動三方弁２６は、一方の入口に第１経路１２が接続され、他方の入口に第２経路１３が接続され、出口に過圧逃がし弁９の入口が接続されている。前記一方の入口側のケーシング内にはワックスエレメントや形状記憶合金などの温度膨張素子を有し、温度膨張素子の先には一方の入口側の開度と他方の入口側の開度とを反比例させる弁体が設けられている。一方の入口を通過しようとする貯湯タンク１等からの湯水の温度に応じて温度膨張素子が伸縮し、温度膨張素子の雰囲気温度が上昇すると温度膨張素子が伸長し、一方の入口側が閉じる方向に弁体が駆動されると共に、他方の入口側が開く方向に前記弁体が駆動される。そして、所定の設計温度を超えると温度膨張素子が最大長まで伸長して前記一方の入口側の開度が０となり、第１経路１２が閉塞されるものである。
【００４８】
＜沸き上げ運転＞
沸き上げ運転中に、制御部２４は、混合弁６を給水管３と給湯管７とが連通した状態とする。ここでは、給水管３のみが給湯管７と連通し、高温管５は給湯管７と遮断状態とすることが好ましい。沸き上げ運転が進行して、貯湯タンク１内の湯水の温度が上昇してくると、貯湯タンク１内の湯水が熱膨張し、系内の圧力が上昇する。この圧力は高温管５経由の第１経路１２と、給水管３と給湯管７経由の第２経路１３を介して過圧逃がし弁９に掛かる。
【００４９】
系内の圧力が過圧逃がし弁９の開弁圧力以上に達すると、過圧逃がし弁９が開弁されて流通抵抗の小さい第２経路１３経由で貯湯タンク１内の下部から低温の水が排出されると同時に、第１経路１２経由で管内の残留湯水が排出され、熱動三方弁２６に貯湯タンク１からの高温の湯が流入すると、温度膨張素子の作用により熱動三方弁２６の第１経路１２側が閉じられ、第２経路１３が開き第２経路１３経由の低温の水だけが排出されることとなる。
【００５０】
系内の圧力が過圧逃がし弁９の閉弁圧力以下となると、過圧逃がし弁９が閉弁されて低温の水の排出が停止され、これを繰り返して貯湯タンク１内の圧力が適切な圧力に保持される。このようにして、膨張水を低温の水で排出することができるため、高温の湯の排出を抑えて加熱エネルギーの無駄な消費をなくすことができ、省エネを推進できる。
【００５１】
一方で、貯湯タンク１内の湯水に残存する空気分は、沸き上げ運転の進行に伴い水から分離して貯湯タンク１内を上昇し、そして、高温管５と第１経路１２を介して貯湯タンク１上部の過圧逃がし弁９に向けて上昇する。このとき、第１経路１２を通過する空気分は、熱動三方弁２６を通過するが、空気の保有熱量は水に比べて小さいため、熱動三方弁２６の第１経路１２側は閉弁されることなく空気が通過し、系内の圧力が過圧逃がし弁９の開弁圧力以上にまで上昇したときに、前記の低温の水と一緒に排出され、系内の空気分をスムースに排出することができる。
【００５２】
そして、制御部２４は、沸き上げ運転が終了すると、次に説明する給湯運転が開始されるまで混合弁６を給水管３のみが給湯管７と連通する状態を維持する。このようにして、混合弁６を給水管３のみが給湯管７と連通する状態を維持することで、貯湯タンク１内の湯水の温度分布の状態によって、高温の湯と低温の水との密度差による自然対流を防止している。
【００５３】
＜給湯運転＞
ユーザーがリモコン２０への操作によって給湯の指示を行うと、制御部２４は、混合弁６を給水管３と高温管５と給湯管７とが連通する状態とすると共に開閉弁８を開弁し、給水管３からの水と高温管５からの湯とが混合弁６に流れ込み、制御部２４は、給湯温度センサ１８が検出する温度が給湯設定温度と一致するように混合弁６の開度を調整し、給湯設定温度の湯水が給湯管７から給湯先へ給湯される。
【００５４】
このとき、貯湯タンク１からの高温の湯は、熱動三方弁２６によって第１経路１２が遮断されるため、混合弁６をバイパスして給湯管７へショートカットしてしまうことが防止されている。
【００５５】
そして、ユーザーによるリモコン２０への操作等による給湯停止の指示があると、制御部２４は、開閉弁８を閉弁し、混合弁６を給水管３のみと給湯管７とが連通する状態として給湯を停止する。
【００５６】
＜排水運転＞
次に、貯湯タンク１内の湯水を排水するための排水運転について説明する。
ユーザーがリモコン２０への特定操作によって排水運転を行う旨の指示を行うと、制御部２４は、混合弁６を高温管５と給湯管７とが連通する状態とする。
【００５７】
そしてユーザーが開放レバー１１を操作して過圧逃がし弁９を大気開放し、排水栓１７を開弁すると、貯湯タンク１内の湯水が排水管１６を介して排水される。
【００５８】
このとき、過圧逃がし弁９の排出路１０から流入した置換空気は、第２経路１３、給湯管７、高温管５を経由して貯湯タンク１の上部から貯湯タンク１内に流入すると共に、空気の熱量が小さいため熱動三方弁２６の第１経路１２側は遮断されることなく空気が通過するため、貯湯タンクの排水に掛かる時間を短縮することができる。
【００５９】
そして、開放レバー１１を操作して過圧逃がし弁９を閉じ、排水栓１７を閉弁して、リモコン２０への特定操作によって排水運転を終了する旨の指示を行うと、制御部２４は、混合弁６を給水管３のみと給湯管７とが連通する状態として排水運転を終了する。
【００６０】
このようにして、加熱手段としての電熱ヒータ２による加熱時の膨張水を低温水で排出することができ、貯湯タンク１内に溜まった残存空気は高温管５から抵抗体に代えて設けられた熱動弁としての熱動三方弁２６を通過して過圧逃がし弁９へ到達し、加熱時に排出される低温水と共に排出されると共に、貯湯タンク１の排水時には、置換空気は過圧逃がし弁９から第２経路１３、給湯管７、高温管５の経路と、過圧逃がし弁９から第１経路１２、高温管５の経路を介して貯湯タンク１上部から流入するため、貯湯タンク１の排水に掛かる時間を短縮することができる。
【００６１】
なお、本発明は上記の実施形態に限定されるものではなく、発明の趣旨を変更しない範囲で改変可能なものであり、例えば電熱ヒータ２の代わりに、ヒートポンプ熱源機を用いてもよい。
【符号の説明】
【００６２】
１  貯湯タンク
２  電熱ヒータ（加熱手段）
３  給水管
５  高温管
６  混合弁
７  給湯管
９  過圧逃がし弁
１２  第１経路
１３  第２経路
１４  第１逆止弁（抵抗体）
１５  第２逆止弁
１６  排水管
１７  排水栓
２４  制御部
２５  熱動遮断弁（熱動弁）
２６  熱動三方弁（熱動弁）
【図１】
2019027665.tif 000003
【図２】
2019027665.tif 000004
【図３】
2019027665.tif 000005